(57)【要約】【課題】広角端から望遠端に至るまでの全変倍域において、物体距離が十センチメートル以下であっても光学性能を良好に維持できる、小型、高倍率のズームレンズを提供する。【解決手段】このズームレンズは、物体側から順に配置された、正の屈折力を有する第１レンズ群Ｇ11と、負の屈折力を有する第２レンズ群Ｇ12と、正の屈折力を有する第３レンズ群Ｇ13と、正の屈折力を有する第４レンズ群Ｇ14と、負の屈折力を有する第５レンズ群Ｇ15と、を含み構成される。そして、所定の条件を満足することにより、物体距離が十センチメートル以下となる場合であっても良好な光学性能を維持することが可能になる。【選択図】図１
2012078788.tif 000002
【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、を備え、
前記各レンズ群の間隔を変化させて変倍を行い、前記第４レンズ群を光軸に沿う方向へ移動させて無限遠合焦状態から最至近距離合焦状態までのフォーカシングを行うズームレンズであって、
前記第５レンズ群中の最も物体側には物体側に凹面を向けた負の屈折力を有するレンズが配置され、以下の条件式を満足することを特徴とするズームレンズ。
（１）  １．５＜｜１００×Ｓ１０／Ｆｔ｜＜５．０
ただし、Ｓ１０は前記第５レンズ群中の最も物体側に配置されたレンズ面の光学有効径最周辺のサグ量、Ｆｔは望遠端での無限遠合焦状態における光学系全系の焦点距離を示す。
【請求項２】
以下の条件式を満足することを特徴とする請求項１に記載のズームレンズ。
（２）  ０．１＜｜Ｆ４／Ｆ５｜＜１．０
ただし、Ｆ４は前記第４レンズ群の焦点距離、Ｆ５は前記第５レンズ群の焦点距離を示す。
【請求項３】
以下の条件式を満足することを特徴とする請求項１または２に記載のズームレンズ。
（３）  ０．２＜｜β２ｔ×β４ｔ｜＜０．５
ただし、β２ｔは望遠端における前記第２レンズ群の横倍率、β４ｔは望遠端における前記第４レンズ群の横倍率を示す。
【発明の詳細な説明】
【技術分野】
【０００１】
この発明は、デジタルカメラなどの撮像装置に搭載するのに最適な、小型、高倍率のズームレンズに関する。
【背景技術】
【０００２】
近年、ビデオカメラやデジタルカメラなどにおいて、より一層の小型化とともに高変倍化が要求されている。この要求に応えるために、小型、高倍率のズームレンズが提案されている（たとえば、特許文献１、２を参照。）。
【０００３】
特許文献１に記載のズームレンズは、物体側より像側へ順に、正の屈折力の第１レンズ群、負の屈折力の第２レンズ群、正の屈折力の第３レンズ群、正の屈折力の第４レンズ群を有し、各レンズ群が移動してズーミングを行うものである。特に、このズームレンズでは、第１レンズ群が、広角端から望遠端へのズーミングに際し像側へ移動した後に物体側へ、広角端に比べ望遠端において物体側に位置するように移動し、第１レンズ群の広角端における位置と、第１レンズ群の最も像側へ移動したときの位置との距離、第１レンズ群の広角端における位置と、第１レンズ群の最も物体側へ移動したときの位置との距離、ズームレンズの広角端における焦点距離が各々適切に設定されている。
【０００４】
また、特許文献２に記載のズームレンズは、正・負・正・正の４群構成であり、第２，第３レンズ群間に開口絞りを有し、広角端から望遠端への変倍に際して、第１レンズ群と第２レンズ群との間隔が増大し、第２レンズ群と第３レンズ群との間隔が減少し、第３レンズ群と第４レンズ群との間隔が増大するように、少なくとも第１レンズ群が物体側へ移動する。特に、第１レンズ群は２枚構成であり、第２レンズ群は接合レンズを含む３枚構成になっている。
【先行技術文献】
【特許文献】
【０００５】
【特許文献１】特開２００９−４２２７１号公報
【特許文献２】特開２００８−２０３４５３号公報
【発明の概要】
【発明が解決しようとする課題】
【０００６】
特許文献１，２に記載のズームレンズは、いずれも３倍以上の変倍比を確保しながら、沈胴時の薄型化を達成している。しかしながら、望遠端における至近距離での撮影時における光学性能に問題がある。すなわち、特許文献１，２に記載のズームレンズでは、いずれも望遠端撮影時には物体距離が少なくとも数十センチメートルは必要であるため、望遠端撮影時に物体距離が十センチメートル以下である場合、ピント調整ができないという問題がある。また、仮に、特許文献１，２に記載のズームレンズの構成で、望遠端において物体距離が十センチメートル以下での撮影を行う場合には、フォーカシングをつかさどる第４群レンズ群の繰り出し量をさらに大きくする必要が生じ、レンズ群を駆動するメカ構造が肥大化し、小型化に支障をきたすという問題が発生する。
【０００７】
この発明は、上述した従来技術による問題点を解消するため、広角端から望遠端に至るまでの全変倍域に亘り、物体距離が十センチメートル以下であっても光学性能を良好に維持できる、小型、高倍率のズームレンズを提供することを目的とする。
【課題を解決するための手段】
【０００８】
上述した課題を解決し、目的を達成するため、請求項１の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、を備え、前記各レンズ群の間隔を変化させて変倍を行い、前記第４レンズ群を光軸に沿う方向へ移動させて無限遠合焦状態から最至近距離合焦状態までのフォーカシングを行うズームレンズであって、前記第５レンズ群中の最も物体側には物体側に凹面を向けた負の屈折力を有するレンズが配置され、以下の条件式を満足することを特徴とする。
（１）  １．５＜｜１００×Ｓ１０／Ｆｔ｜＜５．０
ただし、Ｓ１０は前記第５レンズ群中の最も物体側に配置されたレンズ面の光学有効径最周辺のサグ量、Ｆｔは望遠端での無限遠合焦状態における光学系全系の焦点距離を示す。
【０００９】
この請求項１に記載の発明によれば、全変倍域に亘り、物体距離が十センチメートル以下であっても光学性能を良好に維持できる。
【００１０】
また、請求項２にかかるズームレンズは、請求項１に記載の発明において、以下の条件式を満足することを特徴とする。
（２）  ０．１＜｜Ｆ４／Ｆ５｜＜１．０
ただし、Ｆ４は前記第４レンズ群の焦点距離、Ｆ５は前記第５レンズ群の焦点距離を示す。
【００１１】
この請求項２に記載の発明によれば、光学性能の劣化をまねくことなく、光学系の小型化を達成することができる。
【００１２】
また、請求項３にかかるズームレンズは、請求項１または２に記載の発明において、以下の条件式を満足することを特徴とする。
（３）  ０．２＜｜β２ｔ×β４ｔ｜＜０．５
ただし、β２ｔは望遠端における前記第２レンズ群の横倍率、β４ｔは望遠端における前記第４レンズ群の横倍率を示す。
【００１３】
この請求項３に記載の発明によれば、像点とフォーカス群である第４レンズ群との距離の変動量を抑制して光学系の小型化を図るとともに、光学性能を向上させることができる。
【発明の効果】
【００１４】
この発明によれば、広角端から望遠端に至るまでの全変倍域に亘り、物体距離が十センチメートル以下であっても光学性能を良好に維持できる、小型、高倍率のズームレンズを提供することができるという効果を奏する。
【図面の簡単な説明】
【００１５】
【図１】実施例１にかかるズームレンズの構成を示す光軸に沿う断面図である。
【図２】実施例１にかかるズームレンズの広角端での無限遠合焦状態の諸収差図である。
【図３】実施例１にかかるズームレンズの中間位置での無限遠合焦状態の諸収差図である。
【図４】実施例１にかかるズームレンズの望遠端での無限遠合焦状態の諸収差図である。
【図５】実施例１にかかるズームレンズの広角端での最至近距離合焦状態の諸収差図である。
【図６】実施例１にかかるズームレンズの中間位置での最至近距離合焦状態の諸収差図である。
【図７】実施例１にかかるズームレンズの望遠端での最至近距離合焦状態の諸収差図である。
【図８】実施例２にかかるズームレンズの構成を示す光軸に沿う断面図である。
【図９】実施例２にかかるズームレンズの広角端での無限遠合焦状態の諸収差図である。
【図１０】実施例２にかかるズームレンズの中間位置での無限遠合焦状態の諸収差図である。
【図１１】実施例２にかかるズームレンズの望遠端での無限遠合焦状態の諸収差図である。
【図１２】実施例２にかかるズームレンズの広角端での最至近距離合焦状態の諸収差図である。
【図１３】実施例２にかかるズームレンズの中間位置での最至近距離合焦状態の諸収差図である。
【図１４】実施例２にかかるズームレンズの望遠端での最至近距離合焦状態の諸収差図である。
【図１５】実施例３にかかるズームレンズの構成を示す光軸に沿う断面図である。
【図１６】実施例３にかかるズームレンズの広角端での無限遠合焦状態の諸収差図である。
【図１７】実施例３にかかるズームレンズの中間位置での無限遠合焦状態の諸収差図である。
【図１８】実施例３にかかるズームレンズの望遠端での無限遠合焦状態の諸収差図である。
【図１９】実施例３にかかるズームレンズの広角端での最至近距離合焦状態の諸収差図である。
【図２０】実施例３にかかるズームレンズの中間位置での最至近距離合焦状態の諸収差図である。
【図２１】実施例３にかかるズームレンズの望遠端での最至近距離合焦状態の諸収差図である。
【図２２】実施例４にかかるズームレンズの構成を示す光軸に沿う断面図である。
【図２３】実施例４にかかるズームレンズの広角端での無限遠合焦状態の諸収差図である。
【図２４】実施例４にかかるズームレンズの中間位置での無限遠合焦状態の諸収差図である。
【図２５】実施例４にかかるズームレンズの望遠端での無限遠合焦状態の諸収差図である。
【図２６】実施例４にかかるズームレンズの広角端での最至近距離合焦状態の諸収差図である。
【図２７】実施例４にかかるズームレンズの中間位置での最至近距離合焦状態の諸収差図である。
【図２８】実施例４にかかるズームレンズの望遠端での最至近距離合焦状態の諸収差図である。
【発明を実施するための形態】
【００１６】
以下、添付図面を参照して、この発明にかかるズームレンズの好適な実施の形態を詳細に説明する。
【００１７】
この発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、を含み構成される。このズームレンズは、前記各レンズ群の間隔を変化させることによって、広角端から望遠端への変倍を行う。また、第４レンズ群を光軸に沿って物体側へ移動させることによって、無限遠合焦状態から最至近距離合焦状態までのフォーカシングを行う。
【００１８】
この発明は、広角端から望遠端に至るまでの全変倍域に亘り、物体距離が十センチメートル以下であっても光学性能を良好に維持できる、小型、高倍率のズームレンズを提供することを目的としている。そこで、かかる目的を達成するため、以下に示すような各種条件を設定している。
【００１９】
まず、この発明にかかるズームレンズでは、全変倍域に亘って、特に最至近距離（物体距離が十センチメートル以下）における光学性能を維持するため、第５レンズ群中の最も物体側には、物体側に凹面を向けた負の屈折力を有するレンズを配置している。そして、当該ズームレンズは、第５レンズ群中の最も物体側に配置されたレンズ面の光学有効径最周辺のサグ量をＳ１０、望遠端での無限遠合焦状態における光学系全系の焦点距離をＦｔとするとき、次に示す条件式を満足することが好ましい。
（１）  １．５＜｜１００×Ｓ１０／Ｆｔ｜＜５．０
【００２０】
条件式（１）においてその下限を下回ると、第５レンズ群中の最も物体側に配置されるレンズの加工性が向上し、第４レンズ群と第５レンズ群とのレンズ周辺部の空気間隔を確保しやすくなるが、望遠端における最至近距離合焦状態の光学性能を維持（特に像面湾曲の補正）することが困難になる。一方、条件式（１）においてその上限を超えると、望遠端における最至近距離合焦状態の光学性能を維持することは容易になるが、第４レンズ群と第５レンズ群とのレンズ周辺部の空気間隔の確保が困難になるばかりか、第５レンズ群中の最も物体側に配置されたレンズ面の光学有効径最周辺のサグ量が大きくなり、レンズの加工性が悪化する。
【００２１】
なお、上記条件式（１）は、次に示す範囲を満足すると、より好ましい効果が期待できる。
（１）’  ２．０＜｜１００×Ｓ１０／Ｆｔ｜＜５．０
この条件式（１）’で規定する範囲を満足することにより、レンズの加工性を悪化させずに、最至近距離合焦状態の光学性能をより向上させることができる。
【００２２】
さらに、この発明にかかるズームレンズでは、フォーカシングをつかさどる第４レンズ群の移動量を抑制するため、第４レンズ群の焦点距離をＦ４、第５レンズ群の焦点距離をＦ５とするとき、次に示す条件式を満足することが好ましい。
（２）  ０．１＜｜Ｆ４／Ｆ５｜＜１．０
【００２３】
条件式（２）においてその上限を超えると、望遠端での最至近距離合焦状態下で発生する諸収差の補正はしやすくなるが、第４レンズ群の屈折力が弱くなるため、フォーカシング時の第４レンズ群の移動量が増加し、光学系の小型化（薄型化）が阻害される。一方、条件式（２）においてその下限を下回ると、第４レンズ群の屈折力が強くなるため、フォーカシング時の第４レンズ群の移動量が減少し、光学系の小型化は促進されるが、望遠端での最至近距離合焦状態下で発生する諸収差の補正が困難になる。このように上記条件式（２）で規定された範囲を満足することで、フォーカシングをつかさどる第４レンズ群の移動量を抑制して、光学系の小型化を図ると同時に、光学性能を維持することができる。
【００２４】
なお、上記条件式（２）は、次に示す範囲を満足すると、より好ましい効果が期待できる。
（２）’  ０．１＜｜Ｆ４／Ｆ５｜＜０．６５
この条件式（２）’で規定する範囲を満足することにより、光学系の小型化と光学性能の維持とをより効果的に達成することができる。
【００２５】
さらに、この発明にかかるズームレンズでは、像点とフォーカス群である第４レンズ群との距離を抑制するため、望遠端における第２レンズ群の横倍率をβ２ｔ、望遠端における第４レンズ群の横倍率をβ４ｔとするとき、次に示す条件式を満足することが好ましい。
（３）  ０．２＜｜β２ｔ×β４ｔ｜＜０．５
【００２６】
条件式（３）においてその上限を超えると、望遠端における第２レンズ群と第４レンズ群の横倍率が大きくなりすぎ、無限遠合焦状態から最至近距離合焦状態への移動の際、フォーカス群である第４レンズ群の移動量が大きくなり、光学系の小型化が困難になる。加えて、像面湾曲を補正することが困難になる。一方、条件式（３）においてその下限を下回ると、望遠端における第２レンズ群と第４レンズ群の横倍率が小さくなり、第２レンズ群と第４レンズ群の屈折力が強くなりすぎる。この場合、無限遠合焦状態から最至近距離合焦状態への移動の際、フォーカス群である第４レンズ群の移動量が小さくなって、光学系の小型化は容易になるが、諸収差の補正が困難になる。このように上記条件式（３）で規定された範囲を満足することで、像点とフォーカス群である第４レンズ群との距離を小さくして、光学系の小型化を図りながら、諸収差を良好に補正して、光学性能を向上させることができる。
【００２７】
なお、上記条件式（３）は、次に示す範囲を満足すると、より好ましい効果が期待できる。
（３）’  ０．３＜｜β２ｔ×β４ｔ｜＜０．４５
この条件式（３）’で規定する範囲を満足することにより、光学系のより小型化を図りながら、光学性能をより向上させることができる。
【００２８】
さらに、この発明にかかるズームレンズでは、適宜非球面レンズを用いることで、少ないレンズ枚数で良好に諸収差の補正を行うことができ、光学系の小型化を促進することができる。
【００２９】
以上説明したように、この発明にかかるズームレンズは、第５レンズ群中の最も物体側には物体側に凹面を向けた負の屈折力を有するレンズを配置し、上記条件式（１）を満足することで、全変倍域に亘り、物体距離が十センチメートル以下であっても良好な光学性能を維持できる。さらに、上記条件式（２）を満足することにより、光学性能を劣化させることなく、光学系の小型化を達成することができる。また、これにより光学系の沈胴時の薄型化を図ることができる。また、フォーカシングをつかさどる第４レンズ群の移動量を抑制することができるため、フォーカシングの高速化を促進することもできる。さらに、上記条件式（３）を満足することにより、像点とフォーカス群である第４レンズ群との距離を抑制して光学系の小型化を図りながら、諸収差を良好に補正して光学性能を向上させることが可能になる。この発明によれば、小型、高倍率（３倍程度以上）、高性能の望遠マクロズームレンズを実現できる。
【００３０】
以下、この発明にかかるズームレンズの実施例を図面に基づき詳細に説明する。なお、以下の実施例によりこの発明が限定されるものではない。
【実施例１】
【００３１】
図１は、実施例１にかかるズームレンズの構成を示す光軸に沿う断面図である。このズームレンズは、図示しない物体側から順に、正の屈折力を有する第１レンズ群Ｇ11、負の屈折力を有する第２レンズ群Ｇ12、正の屈折力を有する第３レンズ群Ｇ13、正の屈折力を有する第４レンズ群Ｇ14、および負の屈折力を有する第５レンズ群Ｇ15が配置されて構成される。そして、第５レンズ群Ｇ15中の最も物体側には、物体側に凹面を向けた負の屈折力を有するレンズが配置されている。また、第２レンズ群Ｇ12と第３レンズ群Ｇ13との間には、絞りＳＴが配置されている。第５レンズ群Ｇ15と結像面ＩＭＧとの間には、フィルタＦが配置されている。フィルタＦは必要に応じて配置されるものであり、不要な場合は省略可能である。なお、結像面ＩＭＧには、ＣＣＤやＣＭＯＳなどの撮像素子の受光面が配置される。
【００３２】
このズームレンズでは、前記各レンズ群の間隔を変化させて変倍を行い、第４レンズ群Ｇ14を光軸に沿って物体側へ移動させて無限遠合焦状態から最至近距離合焦状態までのフォーカシングを行う。
【００３３】
以下、実施例１にかかるズームレンズに関する各種数値データを示す。
【００３４】
ズームレンズ全系の焦点距離（mm）＝5.1514（広角端）〜11.5068（中間位置）〜24.7151(＝Ｆｔ)（望遠端）
変倍比＝4.798
Ｆナンバ＝3.6（広角端）〜4.24（中間位置）〜5.2（望遠端）
画角（２ω）＝78.38°（広角端）〜37.55°（中間位置）〜17.62°（望遠端）
第１レンズ群Ｇ11の焦点距離（mm）＝34.476
第２レンズ群Ｇ12の焦点距離（mm）＝-6.709
第３レンズ群Ｇ13の焦点距離（mm）＝9.490
第４レンズ群Ｇ14の焦点距離（Ｆ４）（mm）＝14.637
第５レンズ群Ｇ15の焦点距離（Ｆ５）（mm）＝-28.455
第５レンズ群Ｇ15中の最も物体側に配置されたレンズ面の光学有効径最周辺のサグ量（Ｓ１０）＝-1.067
望遠端における第２レンズ群Ｇ12の横倍率（β２ｔ）＝-0.653
望遠端における第４レンズ群Ｇ14の横倍率（β４ｔ）＝0.567
【００３５】
条件式（１）
｜１００×Ｓ１０／Ｆｔ｜＝4.3172
条件式（２）
｜Ｆ４／Ｆ５｜＝0.5144
条件式（３）
｜β２ｔ×β４ｔ｜＝0.3703
【００３６】
ｒ1＝20.7169
ｄ1＝0.6000    ｎｄ1＝1.92286    νｄ1＝20.88
ｒ2＝14.9403
ｄ2＝3.7500    ｎｄ2＝1.80420    νｄ2＝46.50
ｒ3＝94.9202
ｄ3＝D(3)
ｒ4＝37.8357
ｄ4＝0.6000    ｎｄ3＝1.91082    νｄ3＝35.25
ｒ5＝5.0182
ｄ5＝2.4734
ｒ6＝-13.3869
ｄ6＝0.4000    ｎｄ4＝1.48749    νｄ4＝70.44
ｒ7＝7.6346
ｄ7＝1.7727    ｎｄ5＝1.84666    νｄ5＝23.78
ｒ8＝129.3890
ｄ8＝D(8)
ｒ9＝∞（絞り）
ｄ9＝0.1000
ｒ10＝4.2173（非球面）
ｄ10＝1.5000    ｎｄ6＝1.61881    νｄ6＝63.85
ｒ11＝-18.9812（非球面）
ｄ11＝0.1500
ｒ12＝5.4759
ｄ12＝0.4000    ｎｄ7＝1.92286    νｄ7＝20.88
ｒ13＝3.3812
ｄ13＝D(13)
ｒ14＝15.0190（非球面）
ｄ14＝1.5539    ｎｄ8＝1.59201    νｄ8＝67.02
ｒ15＝-19.6966（非球面）
ｄ15＝D(15)
ｒ16＝-21.1848（非球面）
ｄ16＝0.8000    ｎｄ9＝1.83441    νｄ9＝37.28
ｒ17＝-200.0000（非球面）
ｄ17＝2.4000
ｒ18＝∞
ｄ18＝0.8000    ｎｄ10＝1.51680    νｄ10＝64.20
ｒ19＝∞
ｄ19＝Bf
ｒ20＝∞（結像面）
【００３７】
円錐係数（Ｋ）および非球面係数（Ａ，Ｂ，Ｃ，Ｄ，Ｅ，Ｆ）
（第１０面）
Ｋ＝0,
Ａ＝0,   Ｂ＝-1.49754×10-3,
Ｃ＝-6.72223×10-5,   Ｄ＝-2.15206×10-5，
Ｅ＝3.13531×10-6,   Ｆ＝0
（第１１面）
Ｋ＝0,
Ａ＝0,   Ｂ＝3.86557×10-4,
Ｃ＝-1.13358×10-4,   Ｄ＝6.19443×10-6，
Ｅ＝2.66152×10-7,   Ｆ＝0
（第１４面）
Ｋ＝0,
Ａ＝0,   Ｂ＝-6.74192×10-4,
Ｃ＝6.93135×10-5,   Ｄ＝-8.72832×10-6，
Ｅ＝2.24880×10-7,   Ｆ＝0
（第１５面）
Ｋ＝0,
Ａ＝0,   Ｂ＝-5.97910×10-4,
Ｃ＝7.08415×10-5,   Ｄ＝-8.86326×10-6，
Ｅ＝2.21937×10-7,   Ｆ＝0
（第１６面）
Ｋ＝0，
Ａ＝0,   Ｂ＝-2.29599×10-3,
Ｃ＝3.69533×10-5，  Ｄ＝-5.61888×10-6，
Ｅ＝3.78878×10-7,   Ｆ＝-1.66006×10-8
（第１７面）
Ｋ＝0，
Ａ＝0,   Ｂ＝-2.18815×10-3,
Ｃ＝-2.72766×10-5，  Ｄ＝4.45962×10-6，
Ｅ＝-2.58271×10-7,   Ｆ＝3.08275×10-9
【００３８】
（合焦状態の可変間隔）
（無限遠合焦状態）
広角端    中間位置    望遠端
焦点距離       5.1514     11.5068      24.7151
物体距離       ∞          ∞            ∞
D(3)           0.5000       7.4455      14.1144
D(8)          10.7166       3.7519       1.3137
D(13)          4.7985       5.8844      11.7720
D(15)          1.5000       3.2814       2.2000
Bf              0.8000       0.8000       0.8000
（最至近距離合焦状態）
広角端    中間位置    望遠端
撮影倍率       -0.0570    -0.1122      -0.1806
物体距離       80.0000    80.0000      80.0000
D(3)             0.5000     7.4455      14.1144
D(8)            10.7166     3.7519       1.3137
D(13)            4.4735     4.7342       7.7789
D(15)            1.8228     4.4387       6.2054
Bf                0.8000     0.8000       0.8000
【００３９】
また、図２は、実施例１にかかるズームレンズの広角端での無限遠合焦状態の諸収差図である。図３は、実施例１にかかるズームレンズの中間位置での無限遠合焦状態の諸収差図である。図４は、実施例１にかかるズームレンズの望遠端での無限遠合焦状態の諸収差図である。図５は、実施例１にかかるズームレンズの広角端での最至近距離合焦状態の諸収差図である。図６は、実施例１にかかるズームレンズの中間位置での最至近距離合焦状態の諸収差図である。図７は、実施例１にかかるズームレンズの望遠端での最至近距離合焦状態の諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例２】
【００４０】
図８は、実施例２にかかるズームレンズの構成を示す光軸に沿う断面図である。このズームレンズは、図示しない物体側から順に、正の屈折力を有する第１レンズ群Ｇ21、負の屈折力を有する第２レンズ群Ｇ22、正の屈折力を有する第３レンズ群Ｇ23、正の屈折力を有する第４レンズ群Ｇ24、および負の屈折力を有する第５レンズ群Ｇ25が配置されて構成される。そして、第５レンズ群Ｇ25中の最も物体側には、物体側に凹面を向けた負の屈折力を有するレンズが配置されている。また、第２レンズ群Ｇ22と第３レンズ群Ｇ23との間には、絞りＳＴが配置されている。第５レンズ群Ｇ25と結像面ＩＭＧとの間には、フィルタＦが配置されている。フィルタＦは必要に応じて配置されるものであり、不要な場合は省略可能である。なお、結像面ＩＭＧには、ＣＣＤやＣＭＯＳなどの撮像素子の受光面が配置される。
【００４１】
このズームレンズでは、前記各レンズ群の間隔を変化させて変倍を行い、第４レンズ群Ｇ24を光軸に沿って物体側へ移動させて無限遠合焦状態から最至近距離合焦状態までのフォーカシングを行う。
【００４２】
以下、実施例２にかかるズームレンズに関する各種数値データを示す。
【００４３】
ズームレンズ全系の焦点距離（mm）＝5.1520（広角端）〜11.5087（中間位置）〜24.7165(＝Ｆｔ)（望遠端）
変倍比＝4.800
Ｆナンバ＝3.6（広角端）〜4.23（中間位置）〜5.2（望遠端）
画角（２ω）＝78.38°（広角端）〜37.55°（中間位置）〜17.62°（望遠端）
第１レンズ群Ｇ21の焦点距離（mm）＝33.838
第２レンズ群Ｇ22の焦点距離（mm）＝-6.485
第３レンズ群Ｇ23の焦点距離（mm）＝9.381
第４レンズ群Ｇ24の焦点距離（Ｆ４）（mm）＝15.110
第５レンズ群Ｇ25の焦点距離（Ｆ５）（mm）＝-31.639
第５レンズ群Ｇ25中の最も物体側に配置されたレンズ面の光学有効径の最周辺のサグ量（Ｓ１０）＝-1.150
望遠端における第２レンズ群Ｇ22の横倍率（β２ｔ）＝-0.633
望遠端における第４レンズ群Ｇ24の横倍率（β４ｔ）＝0.592
【００４４】
条件式（１）
｜１００×Ｓ１０／Ｆｔ｜＝4.6521
条件式（２）
｜Ｆ４／Ｆ５｜＝0.4776
条件式（３）
｜β２ｔ×β４ｔ｜＝0.3747
【００４５】
ｒ1＝18.8087
ｄ1＝0.6000    ｎｄ1＝1.92286    νｄ1＝20.88
ｒ2＝13.6901
ｄ2＝3.7500    ｎｄ2＝1.80420    νｄ2＝46.50
ｒ3＝65.6804
ｄ3＝D(3)
ｒ4＝33.8866
ｄ4＝0.6000    ｎｄ3＝1.91082    νｄ3＝35.25
ｒ5＝4.9204
ｄ5＝2.5564
ｒ6＝-12.2955
ｄ6＝0.4000    ｎｄ4＝1.48749    νｄ4＝70.44
ｒ7＝7.6463
ｄ7＝1.7686    ｎｄ5＝1.84666    νｄ5＝23.78
ｒ8＝129.6708
ｄ8＝D(8)
ｒ9＝∞（絞り）
ｄ9＝0.1000
ｒ10＝4.2714（非球面）
ｄ10＝1.5000    ｎｄ6＝1.61881    νｄ6＝63.85
ｒ11＝-17.9433（非球面）
ｄ11＝0.1500
ｒ12＝5.4945
ｄ12＝0.4000    ｎｄ7＝1.92286    νｄ7＝20.88
ｒ13＝3.4173
ｄ13＝D(13)
ｒ14＝14.7869（非球面）
ｄ14＝1.4750    ｎｄ8＝1.59201    νｄ8＝67.02
ｒ15＝-21.9986（非球面）
ｄ15＝D(15)
ｒ16＝-7.1549（非球面）
ｄ16＝0.8000    ｎｄ9＝1.83441    νｄ9＝37.28
ｒ17＝-10.2918
ｄ17＝2.4000
ｒ18＝∞
ｄ18＝0.8000    ｎｄ10＝1.51680    νｄ10＝64.20
ｒ19＝∞
ｄ19＝Bf
ｒ20＝∞（結像面）
【００４６】
円錐係数（Ｋ）および非球面係数（Ａ，Ｂ，Ｃ，Ｄ，Ｅ，Ｆ）
（第１０面）
Ｋ＝0,
Ａ＝0,   Ｂ＝-1.37033×10-3,
Ｃ＝-6.60994×10-5,   Ｄ＝-1.81430×10-5，
Ｅ＝2.66898×10-6,   Ｆ＝0
（第１１面）
Ｋ＝0,
Ａ＝0,   Ｂ＝5.00918×10-4,
Ｃ＝-7.53490×10-5,   Ｄ＝-3.98768×10-6，
Ｅ＝1.37678×10-6,   Ｆ＝0
（第１４面）
Ｋ＝0,
Ａ＝0,   Ｂ＝-4.00704×10-4,
Ｃ＝6.48980×10-5,   Ｄ＝-8.46934×10-6，
Ｅ＝2.09476×10-7,   Ｆ＝0
（第１５面）
Ｋ＝0,
Ａ＝0,   Ｂ＝-3.00454×10-4,
Ｃ＝6.94628×10-5,   Ｄ＝-9.29075×10-6，
Ｅ＝2.38581×10-7,   Ｆ＝0
（第１６面）
Ｋ＝0，
Ａ＝0,   Ｂ＝1.83973×10-4,
Ｃ＝4.90637×10-5，  Ｄ＝-7.48317×10-6，
Ｅ＝4.56162×10-7,   Ｆ＝0
【００４７】
（合焦状態の可変間隔）
（無限遠合焦状態）
広角端    中間位置    望遠端
焦点距離       5.1520     11.5087      24.7165
物体距離       ∞          ∞            ∞
D(3)            0.5000      7.1148      13.4290
D(8)           11.1184      3.9066       1.6382
D(13)           5.0634      5.6950      12.1329
D(15)           1.5000      3.5443       2.2000
Bf               0.8000      0.8000       0.8000
（最至近距離合焦状態）
広角端    中間位置    望遠端
撮影倍率       -0.0567    -0.1121      -0.1809
物体距離       80.0000    80.0000      80.0000
D(3)             0.5000     7.1148      13.4290
D(8)            11.1184     3.9066       1.6382
D(13)            4.7111     4.4969       8.1329
D(15)            1.8523     4.7424       6.2000
Bf                0.8000     0.8000       0.8000
【００４８】
また、図９は、実施例２にかかるズームレンズの広角端での無限遠合焦状態の諸収差図である。図１０は、実施例２にかかるズームレンズの中間位置での無限遠合焦状態の諸収差図である。図１１は、実施例２にかかるズームレンズの望遠端での無限遠合焦状態の諸収差図である。図１２は、実施例２にかかるズームレンズの広角端での最至近距離合焦状態の諸収差図である。図１３は、実施例２にかかるズームレンズの中間位置での最至近距離合焦状態の諸収差図である。図１４は、実施例２にかかるズームレンズの望遠端での最至近距離合焦状態の諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例３】
【００４９】
図１５は、実施例３にかかるズームレンズの構成を示す光軸に沿う断面図である。このズームレンズは、図示しない物体側から順に、正の屈折力を有する第１レンズ群Ｇ31、負の屈折力を有する第２レンズ群Ｇ32、正の屈折力を有する第３レンズ群Ｇ33、正の屈折力を有する第４レンズ群Ｇ34、および負の屈折力を有する第５レンズ群Ｇ35が配置されて構成される。そして、第５レンズ群Ｇ35中の最も物体側には、物体側に凹面を向けた負の屈折力を有するレンズが配置されている。また、第２レンズ群Ｇ32と第３レンズ群Ｇ33との間には、絞りＳＴが配置されている。第５レンズ群Ｇ35と結像面ＩＭＧとの間には、フィルタＦが配置されている。フィルタＦは必要に応じて配置されるものであり、不要な場合は省略可能である。なお、結像面ＩＭＧには、ＣＣＤやＣＭＯＳなどの撮像素子の受光面が配置される。
【００５０】
このズームレンズでは、前記各レンズ群の間隔を変化させて変倍を行い、第４レンズ群Ｇ34を光軸に沿って物体側へ移動させて無限遠合焦状態から最至近距離合焦状態までのフォーカシングを行う。
【００５１】
以下、実施例３にかかるズームレンズに関する各種数値データを示す。
【００５２】
ズームレンズ全系の焦点距離（mm）＝5.1517（広角端）〜12.8771（中間位置）〜24.7116(＝Ｆｔ)（望遠端）
変倍比＝4.800
Ｆナンバ＝3.6（広角端）〜4.23（中間位置）〜5.2（望遠端）
画角（２ω）＝78.33°（広角端）〜31.8°（中間位置）〜16.23°（望遠端）
第１レンズ群Ｇ31の焦点距離（mm）＝36.286
第２レンズ群Ｇ32の焦点距離（mm）＝-7.144
第３レンズ群Ｇ33の焦点距離（mm）＝9.304
第４レンズ群Ｇ34の焦点距離（Ｆ４）（mm）＝15.265
第５レンズ群Ｇ35の焦点距離（Ｆ５）（mm）＝-84.205
第５レンズ群Ｇ35中の最も物体側に配置されたレンズ面の光学有効径最周辺のサグ量（Ｓ１０）＝-0.863
望遠端における第２レンズ群Ｇ32の横倍率（β２ｔ）＝-0.644
望遠端における第４レンズ群Ｇ34の横倍率（β４ｔ）＝0.639
【００５３】
条件式（１）
｜１００×Ｓ１０／Ｆｔ｜＝3.4895
条件式（２）
｜Ｆ４／Ｆ５｜＝0.1813
条件式（３）
｜β２ｔ×β４ｔ｜＝0.4155
【００５４】
ｒ1＝17.9003
ｄ1＝0.6000    ｎｄ1＝1.92286    νｄ1＝20.88
ｒ2＝12.6446
ｄ2＝3.7500    ｎｄ2＝1.80420    νｄ2＝46.50
ｒ3＝48.7415
ｄ3＝D(3)
ｒ4＝27.8044
ｄ4＝0.6000    ｎｄ3＝1.91082    νｄ3＝35.25
ｒ5＝5.1873
ｄ5＝2.7424
ｒ6＝-13.7908
ｄ6＝0.4000    ｎｄ4＝1.48749    νｄ4＝70.44
ｒ7＝8.7241
ｄ7＝1.7068    ｎｄ5＝1.84666    νｄ5＝23.78
ｒ8＝145.8771
ｄ8＝D(8)
ｒ9＝∞（絞り）
ｄ9＝0.1000
ｒ10＝4.5054（非球面）
ｄ10＝1.5000    ｎｄ6＝1.61881    νｄ6＝63.85
ｒ11＝-22.3477（非球面）
ｄ11＝0.1500
ｒ12＝4.9551
ｄ12＝0.4000    ｎｄ7＝1.92286    νｄ7＝20.88
ｒ13＝3.4025
ｄ13＝D(13)
ｒ14＝18.6702（非球面）
ｄ14＝1.3509    ｎｄ8＝1.59201    νｄ8＝67.02
ｒ15＝-17.1602（非球面）
ｄ15＝D(15)
ｒ16＝-7.5315
ｄ16＝0.6000    ｎｄ9＝1.80518    νｄ9＝25.46
ｒ17＝49.9800
ｄ17＝2.1822    ｎｄ10＝1.88300    νｄ10＝40.80
ｒ18＝-10.8940
ｄ18＝D(18)
ｒ19＝∞
ｄ19＝0.8000    ｎｄ11＝1.51680    νｄ11＝64.20
ｒ20＝∞
ｄ20＝Bf
ｒ21＝∞（結像面）
【００５５】
円錐係数（Ｋ）および非球面係数（Ａ，Ｂ，Ｃ，Ｄ，Ｅ，Ｆ）
（第１０面）
Ｋ＝0,
Ａ＝0,   Ｂ＝-9.47134×10-4,
Ｃ＝-3.65889×10-5,   Ｄ＝-2.90771×10-5，
Ｅ＝5.97138×10-6,   Ｆ＝0
（第１１面）
Ｋ＝0,
Ａ＝0,   Ｂ＝4.95739×10-4,
Ｃ＝-6.21358×10-5,   Ｄ＝-3.11643×10-6，
Ｅ＝2.72956×10-6,   Ｆ＝0
（第１４面）
Ｋ＝0,
Ａ＝0,   Ｂ＝-3.52921×10-4,
Ｃ＝3.66497×10-5,   Ｄ＝-5.75334×10-6，
Ｅ＝1.28906×10-7,   Ｆ＝0
（第１５面）
Ｋ＝0,
Ａ＝0,   Ｂ＝-1.86764×10-4,
Ｃ＝2.85020×10-5,   Ｄ＝-5.21598×10-6，
Ｅ＝1.08693×10-7,   Ｆ＝0
【００５６】
（合焦状態の可変間隔）
（無限遠合焦状態）
広角端    中間位置    望遠端
焦点距離       5.1517     12.8771      24.7116
物体距離       ∞           ∞            ∞
D(3)            0.5000      6.1566      13.9280
D(8)           11.1890      2.2350       1.3109
D(13)           3.3799      5.2756      11.0172
D(15)           1.5000      2.9770       1.1616
D(18)           2.2216      3.0506       2.1629
Bf               1.0000      1.0000       1.0000
（最至近距離合焦状態）
広角端    中間位置    望遠端
撮影倍率       -0.0464    -0.1089      -0.1565
物体距離      100.0000   100.0000     100.0000
D(3)             0.5000      6.1566      13.9280
D(8)            11.1890      2.2350       1.3109
D(13)            3.1222      4.1199       7.4800
D(15)            1.7577      4.1327       4.6988
D(18)            2.2216      3.0506       2.2336
Bf                1.0000      1.0000       1.0000
【００５７】
また、図１６は、実施例３にかかるズームレンズの広角端での無限遠合焦状態の諸収差図である。図１７は、実施例３にかかるズームレンズの中間位置での無限遠合焦状態の諸収差図である。図１８は、実施例３にかかるズームレンズの望遠端での無限遠合焦状態の諸収差図である。図１９は、実施例３にかかるズームレンズの広角端での最至近距離合焦状態の諸収差図である。図２０は、実施例３にかかるズームレンズの中間位置での最至近距離合焦状態の諸収差図である。図２１は、実施例３にかかるズームレンズの望遠端での最至近距離合焦状態の諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例４】
【００５８】
図２２は、実施例４にかかるズームレンズの構成を示す光軸に沿う断面図である。このズームレンズは、図示しない物体側から順に、正の屈折力を有する第１レンズ群Ｇ41、負の屈折力を有する第２レンズ群Ｇ42、正の屈折力を有する第３レンズ群Ｇ43、正の屈折力を有する第４レンズ群Ｇ44、および負の屈折力を有する第５レンズ群Ｇ45が配置されて構成される。第４レンズ群Ｇ44は、１枚の正レンズで構成されている。第５レンズ群Ｇ45は、物体側に凹面を向けた１枚の負レンズで構成されている。また、第２レンズ群Ｇ42と第３レンズ群Ｇ43との間には、絞りＳＴが配置されている。結像面ＩＭＧには、ＣＣＤやＣＭＯＳなどの撮像素子の受光面が配置される。
【００５９】
このズームレンズでは、前記各レンズ群の間隔を変化させて変倍を行い、第４レンズ群Ｇ44を光軸に沿って物体側へ移動させて無限遠合焦状態から最至近距離合焦状態までのフォーカシングを行う。
【００６０】
以下、実施例４にかかるズームレンズに関する各種数値データを示す。
【００６１】
ズームレンズ全系の焦点距離（mm）＝4.3803（広角端）〜13.1116（中間位置）〜33.2359(＝Ｆｔ)（望遠端）
変倍比＝7.588
Ｆナンバ＝3.6（広角端）〜4.65（中間位置）〜5.72（望遠端）
画角（２ω）＝87.37°（広角端）〜33.13°（中間位置）〜13.07°（望遠端）
第１レンズ群Ｇ41の焦点距離（mm）＝38.3379
第２レンズ群Ｇ42の焦点距離（mm）＝-6.4741
第３レンズ群Ｇ43の焦点距離（mm）＝9.4798
第４レンズ群Ｇ44の焦点距離（Ｆ４）（mm）＝16.4641
第５レンズ群Ｇ45の焦点距離（Ｆ５）（mm）＝-26.4086
第５レンズ群Ｇ45中の最も物体側に配置されたレンズ面の光学有効径最周辺のサグ量（Ｓ１０）＝-0.7193
望遠端における第２レンズ群Ｇ42の横倍率（β２ｔ）＝-0.669
望遠端における第４レンズ群Ｇ44の横倍率（β４ｔ）＝0.629
【００６２】
条件式（１）
｜１００×Ｓ１０／Ｆｔ｜＝2.1642
条件式（２）
｜Ｆ４／Ｆ５｜＝0.6234
条件式（３）
｜β２ｔ×β４ｔ｜＝0.4208
【００６３】
ｒ1＝44.3900
ｄ1＝0.7000    ｎｄ1＝1.92286    νｄ1＝20.88
ｒ2＝28.5536
ｄ2＝2.6008    ｎｄ2＝1.61800    νｄ2＝63.39
ｒ3＝141.4340
ｄ3＝0.1500
ｒ4＝27.4967
ｄ4＝2.3824    ｎｄ3＝1.69680    νｄ3＝55.46
ｒ5＝142.5338
ｄ5＝D(5)
ｒ6＝34.0578（非球面）
ｄ6＝0.8000    ｎｄ4＝1.85135    νｄ4＝40.10
ｒ7＝4.5131（非球面）
ｄ7＝2.6207
ｒ8＝44.0031
ｄ8＝0.4500    ｎｄ5＝1.83400    νｄ5＝37.34
ｒ9＝8.5000
ｄ9＝1.8334    ｎｄ6＝2.00178    νｄ6＝19.32
ｒ10＝32.0923（非球面）
ｄ10＝D(10)
ｒ11＝∞（絞り）
ｄ11＝0.3500
ｒ12＝5.2704（非球面）
ｄ12＝1.8298    ｎｄ7＝1.80610    νｄ7＝40.74
ｒ13＝10.5430
ｄ13＝1.0000    ｎｄ8＝1.94595    νｄ8＝17.98
ｒ14＝5.2654
ｄ14＝0.2641
ｒ15＝13.0860
ｄ15＝1.1061    ｎｄ9＝1.61800    νｄ9＝63.39
ｒ16＝-10.3508
ｄ16＝D(16)
ｒ17＝10.2005（非球面）
ｄ17＝1.7489    ｎｄ10＝1.55332    νｄ10＝71.67
ｒ18＝-80.0000（非球面）
ｄ18＝D(18)
ｒ19＝-19.5288（非球面）
ｄ19＝0.8000    ｎｄ11＝1.82115    νｄ11＝24.06
ｒ20＝-200.0000（非球面）
ｄ20＝Bf
ｒ21＝∞（結像面）
【００６４】
円錐係数（Ｋ）および非球面係数（Ａ，Ｂ，Ｃ，Ｄ，Ｅ，Ｆ）
（第６面）
Ｋ＝0,
Ａ＝0,   Ｂ＝-3.69713×10-5,
Ｃ＝-1.08466×10-5,   Ｄ＝1.98280×10-7，
Ｅ＝-9.75203×10-10,   Ｆ＝0
（第７面）
Ｋ＝-0.1858,
Ａ＝0,   Ｂ＝2.15936×10-4,
Ｃ＝1.08855×10-5,   Ｄ＝-1.38880×10-6，
Ｅ＝-8.09148×10-8,   Ｆ＝0
（第１０面）
Ｋ＝0,
Ａ＝0,   Ｂ＝-4.07423×10-4,
Ｃ＝-1.18383×10-5,   Ｄ＝1.00462×10-6，
Ｅ＝-2.35110×10-8,   Ｆ＝0
（第１２面）
Ｋ＝-0.5717,
Ａ＝0,   Ｂ＝-1.79345×10-5,
Ｃ＝-3.32112×10-5,   Ｄ＝1.11300×10-5，
Ｅ＝-1.25017×10-6,   Ｆ＝0
（第１７面）
Ｋ＝0,
Ａ＝0,   Ｂ＝-1.52707×10-4,
Ｃ＝-7.38880×10-6,   Ｄ＝4.40161×10-7，
Ｅ＝1.30598×10-8,   Ｆ＝0
（第１８面）
Ｋ＝0,
Ａ＝0,   Ｂ＝1.30697×10-4,
Ｃ＝-5.01241×10-5,   Ｄ＝5.45109×10-6，
Ｅ＝-2.77363×10-7,   Ｆ＝0
（第１９面）
Ｋ＝0,
Ａ＝0,   Ｂ＝1.37432×10-4,
Ｃ＝-9.76006×10-5,   Ｄ＝1.32994×10-6，
Ｅ＝2.42342×10-7,   Ｆ＝0
（第２０面）
Ｋ＝0,
Ａ＝0,   Ｂ＝1.15641×10-4,
Ｃ＝-1.09180×10-4,   Ｄ＝2.19047×10-6，
Ｅ＝1.37907×10-7,   Ｆ＝0
【００６５】
（合焦状態の可変間隔）
（無限遠合焦状態）
広角端    中間位置    望遠端
焦点距離       4.3803     13.1116      33.2359
物体距離       ∞           ∞            ∞
D(5)            0.5000      9.2000      19.0148
D(10)          12.0835      2.4579       0.1500
D(16)           4.5114      7.7350      14.1456
D(18)           1.5000      3.9735       2.0543
Bf               3.0176      3.0324       3.0192
（最至近距離合焦状態）
広角端    中間位置    望遠端
撮影倍率       -0.0392    -0.1025      -0.1751
物体距離      100.0000   100.0000    100.0000
D(5)             0.5000      9.2000     19.0148
D(10)           12.0835      2.4579      0.1500
D(16)            4.2791      6.4098      8.6295
D(18)            1.7323      5.3135      7.5719
Bf                3.0194      3.0301      3.0541
【００６６】
また、図２３は、実施例４にかかるズームレンズの広角端での無限遠合焦状態の諸収差図である。図２４は、実施例４にかかるズームレンズの中間位置での無限遠合焦状態の諸収差図である。図２５は、実施例４にかかるズームレンズの望遠端での無限遠合焦状態の諸収差図である。図２６は、実施例４にかかるズームレンズの広角端での最至近距離合焦状態の諸収差図である。図２７は、実施例４にかかるズームレンズの中間位置での最至近距離合焦状態の諸収差図である。図２８は、実施例４にかかるズームレンズの望遠端での最至近距離合焦状態の諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【００６７】
なお、上記各実施例中の数値データにおいて、ｒ1，ｒ2，・・・・は各レンズ、絞り面などの曲率半径(mm)、ｄ1，ｄ2，・・・・は各レンズ、絞りなどの肉厚またはそれらの面間隔(mm)、ｎｄ1，ｎｄ2，・・・・は各レンズなどのｄ線（λ＝５８７．５６ｎｍ）における屈折率、νｄ1，νｄ2，・・・・は各レンズなどのｄ線（λ＝５８７．５６ｎｍ）におけるアッベ数を示している。
【００６８】
また、上記各非球面形状は、非球面の深さをＺ、光軸からの高さをｙとし、光の進行方向を正とするとき、以下に示す式により表される。
【００６９】
【数１】
2012078788.tif 000003
【００７０】
ただし、Ｒは近軸曲率半径、Ｋは円錐係数、Ａ，Ｂ，Ｃ，Ｄ，Ｅ，Ｆはそれぞれ２次，４次，６次，８次，１０次，１２次の非球面係数である。
【００７１】
以上説明したように、上記各実施例のズームレンズは、上記各条件式を満足することで、小型、高倍率（３倍程度以上）、高性能の望遠マクロズームレンズになる。また、上記各実施例のズームレンズは、適宜非球面が形成されたレンズを用いているため、少ないレンズ枚数で、良好な光学性能を維持することができる。
【産業上の利用可能性】
【００７２】
以上のように、この発明のズームレンズは、小型のデジタルカメラなどに有用であり、特に、物体距離が十センチメートル以下となる撮影に最適である。
【符号の説明】
【００７３】
Ｇ11，Ｇ21，Ｇ31，Ｇ41  第１レンズ群
Ｇ12，Ｇ22，Ｇ32，Ｇ42  第２レンズ群
Ｇ13，Ｇ23，Ｇ33，Ｇ43  第３レンズ群
Ｇ14，Ｇ24，Ｇ34，Ｇ44  第４レンズ群
Ｇ15，Ｇ25，Ｇ35，Ｇ45  第５レンズ群
ＩＭＧ  結像面
ＳＴ  絞り
Ｆ  フィルタ
【図１】
2012078788.tif 000004
【図２】
2012078788.tif 000005
【図３】
2012078788.tif 000006
【図４】
2012078788.tif 000007
【図５】
2012078788.tif 000008
【図６】
2012078788.tif 000009
【図７】
2012078788.tif 000010
【図８】
2012078788.tif 000011
【図９】
2012078788.tif 000012
【図１０】
2012078788.tif 000013
【図１１】
2012078788.tif 000014
【図１２】
2012078788.tif 000015
【図１３】
2012078788.tif 000016
【図１４】
2012078788.tif 000017
【図１５】
2012078788.tif 000018
【図１６】
2012078788.tif 000019
【図１７】
2012078788.tif 000020
【図１８】
2012078788.tif 000021
【図１９】
2012078788.tif 000022
【図２０】
2012078788.tif 000023
【図２１】
2012078788.tif 000024
【図２２】
2012078788.tif 000025
【図２３】
2012078788.tif 000026
【図２４】
2012078788.tif 000027
【図２５】
2012078788.tif 000028
【図２６】
2012078788.tif 000029
【図２７】
2012078788.tif 000030
【図２８】
2012078788.tif 000031